(57)【要約】【課題】  プラグファンやリミットロードファン等の空気を遠心力で外側に飛ばして送風する遠心ファンにおいても、的確にファンの送風量を測定できる空気調和機の風量計を提供する。【解決手段】  遠心ファンを用いた空気調和機のファン室であって、該ファンの空気吸引側に配したくびれ部を有するスカート状のインレットコーンを設け、該インレットコーンのくびれ部の最小内径の壁面に一方の差圧検出孔を設け、前記インレットコーンの空気吸引側開口に連接した給気室の所望位置に他方の差圧検出孔を設け、両差圧検出孔に差圧計を配管を介して接続し、該差圧計の目盛りを風量に換算した目盛りとしたことを特徴とした空気調和機の風量計。【選択図】図３
2005308606.tif 000002
【特許請求の範囲】
【請求項１】
遠心ファンを用いた空気調和機のファン室であって、該ファンの空気吸引側に配したくびれ部を有するスカート状のインレットコーンを設け、該インレットコーンのくびれ部の最小内径の壁面に一方の差圧検出孔を設け、前記インレットコーンの空気吸引側開口に連接した給気室の所望位置に他方の差圧検出孔を設け、両差圧検出孔に差圧計を配管を介して接続し、該差圧計の目盛りを風量に換算した目盛りとしたことを特徴とした空気調和機の風量計。
【発明の詳細な説明】
【技術分野】
【０００１】
本発明は、空気調和機の風量計、特に、プラグファンやリミットロードファン等の遠心ファンを用いた空気調和機の風量計の技術分野に属する。
【背景技術】
【０００２】
従来より、空気調和機の風量は、通常、ファンの送風量とファンの駆動負荷電流とに相関関係があることから、負荷電流の値から空気調和機の送風量を検出していた。このことは、例えば空気を羽根で押し出す標準的なシロッコファンにおいては、図１のグラフに示すように、ファンの送風量を増やせばファンの駆動負荷電流も増大する相関関係にある。
【０００３】
ところで、近時、空気調和機においては、プラグファンやリミットロードファン等の空気を遠心力で外側に飛ばして送風する遠心ファンを使用することが多くなっている。これらプラグファンやリミットロードファン等の遠心ファンにおいては、空気を遠心力で外側に飛ばして送風することから、例えば、図２のグラフに示しように、標準的なプラグファンを使用した場合、モーターの回転数を９８５rpm前後に設定し、日本工業規格JIS-B8330に準じた試験をしたものであるが、送風量を30000ｍ3／ｈで駆動負荷電流は28.5Ａ程度で、これ以上に風量を増やしても負荷電流はほぼ29.3Ａをピークとしてこれ以上には増えず、送風量が45000ｍ3／ｈ付近では逆に低減して28Ａ程度である。したがって、プラグファンやリミットロードファン等においては、この特性を生かして効率が良い送風量が45000ｍ3／ｈ付近で使用することが多い。
この場合に、従来のように、ファンの駆動負荷電流でファンの送風量を測定すると、例えば、２８Ａに対応する風量は、28000ｍ3／ｈと45000ｍ3／ｈとの２つの値が検出され誤差を生じるという問題点があった。
【発明の開示】
【発明が解決しようとする課題】
【０００４】
本発明は、従来の前記問題点に鑑みてなされたもので、プラグファンやリミットロードファン等の空気を遠心力で外側に飛ばして送風する遠心ファンにおいても、的確にファンの送風量を測定できる空気調和機の風量計を提供しようとするものである。
【課題を解決するための手段】
【０００５】
上記課題を解決するために、請求項１の発明は、遠心ファンを用いた空気調和機のファン室であって、該ファンの空気吸引側に配したくびれ部を有するスカート状のインレットコーンを設け、該インレットコーンのくびれ部の最小内径の壁面に一方の差圧検出孔を設け、前記インレットコーンの空気吸引側開口に連接した給気室の所望位置に他方の差圧検出孔を設け、両差圧検出孔に差圧計を配管を介して接続し、該差圧計の目盛りを風量に換算した目盛りとしたことを特徴とした空気調和機の風量計である。
【発明の効果】
【０００６】
本発明によれば、空気調和機のプラグファンやリミットロードファン等の遠心ファンの空気吸引側に配したくびれ部を有するスカート状のインレットコーンの形状を利用し、このインレットコーンに差圧計の検出孔を設けて流量計としたもので、遠心ファンにおいても的確にファンの送風量を測定できるという効果が得られる。
【発明を実施するための最良の形態】
【０００７】
本発明の好適な実施例を図面に沿って説明するが、図３は本実施例の全体の概略を示すもので、ファン室１は、通常、従来例の如く熱交換室等の給気室２に連接して設けられ、ファン室１には遠心型送風機であるプラグファン３が設けられ、プラグファン３の前面にインレットコーン４がファン室１と空気吸引側の給気室２と隔てる区枠５に固定されている。
インレットコーン４はスカート状で、図４に示すように、くびれ部４１を有しており、このインレットコーン４のくびれ部４１の最小内径aの壁面に一方の差圧検出孔４２を設け、前記インレットコーン４の空気吸引側開口４３に連接した給気室２側の区枠５の壁面５１に他方の差圧検出孔５２を設け、両差圧検出孔４２、５２に差圧計６を配管６１．６２を介して接続してある。即ち、差圧計６は、差圧検出孔４２での静圧Ａと差圧検出孔５２での静圧Ｂとの差圧（Ｂ−Ａ）を測定して風量換算することになる。
【０００８】
本実施例では、くびれ部４１に設けた差圧検出孔４２は、図５に示すように、左右前後の４箇所に検出孔42a〜dを設け、これらを連接配管611でつないで配管６１に接続して安定した圧力値を検出しているが、勿論、差圧検出孔４２は一箇所でもよい。
ここでインレットコーン４のくびれ部４１の形状を、図４で説明すると、くびれ部４１は空気出口の近傍に位置し、所定の曲率半径Ｒを有していて最小内径aとなり、空気出口開口４４の内径ｂより若干小さく、空気吸引側開口４３の内径ｃは大きく開口しており急激に絞られてそのくびれ部の内径aに延びており、差圧が検出されやすい形状となっている。
【０００９】
次ぎに、差圧と風量換算について説明すると、空気調和機の場合に静圧Ａと静圧Ｂとは組込器機による機内圧損の影響を受けるが、実際には機内損失が変化しても風量が変化しない限り影響はほとんど受けない。本実施例での差圧と風量との関係を図６のグラフに示すが、風量の測定はJISB8330に準拠して測定し、差圧はコスモ社製デジタルマノメータDM-3500を用いて測定した。
図６において、プラグファン３の吸込み静圧が変化しても、差圧（Ｂ−Ａ）に大きな変化はなく、風量が増加するに従って差圧（Ｂ−Ａ）も増加し、例えば、風量300ｍ3／ｈでは差圧４Ｐa、風量1000ｍ3／ｈでは差圧40Ｐa、風量1780ｍ3／ｈでは差圧98Ｐaと増加し、極大値がなく誤った値を検出することがない。この図６にしたがって、差圧計に風量レンジ目盛７を付ければプラグファン３における風量を直読できるようになる。
なお、本発明の特徴を損うものでなければ、上記の実施例に限定されるものでないことは勿論である。
【図面の簡単な説明】
【００１０】
【図１】従来のシロッコファンによる空気調和機の風量と駆動負荷電流との関係のグラフの図である。
【図２】従来のプラグファンによる空気調和機の風量と駆動負荷電流との関係のグラフの図である。
【図３】本発明の実施例の全体の概略を示す断面図である。
【図４】本発明の実施例のインレットコーンの断面図である。
【図５】図４のインレットコーンと差圧検出孔を示す分解斜視図である。
【図６】本発明の実施例の差圧と風量との関係のグラフの図である。
【符号の説明】
【００１１】
１…ファン室、２…給気室、
３…プラグファン、
４…インレットコーン、４１…くびれ部、４２,42a〜d…差圧検出孔、
４３…空気吸引側開口、４４…出口開口、
５…区枠、５１…壁面、５２…差圧検出孔、
６…差圧計、61,62…配管、611…連接配管、
７…目盛板、
【図１】
2005308606.tif 000003
【図２】
2005308606.tif 000004
【図３】
2005308606.tif 000005
【図４】
2005308606.tif 000006
【図５】
2005308606.tif 000007
【図６】
2005308606.tif 000008